(57)【要約】【課題】排水溝の水の流れが良好で優れた排水性能を有する防水パンを提供する。【解決手段】四周に側壁１を備えた方形の平面形状を有する防水パンＰであって、その前縁沿いに排水溝２を形成し、排水溝の溝底面２ａを排水溝の中央から両端に近づくほど徐々に低くなるように傾斜させると共に、排水溝２の両端部の溝底面２ａに排水口２ｂをそれぞれ形成した構成の防水パンＰとする。排水溝２に流れ込んだ雨水は、排水溝の中央から両端に近づくほど低くなるように傾斜している溝底面２ａにより、二分されて排水溝の両端に向かってスムーズに流れ、両端部の二つの排水口から排水されるので、良好な排水性能を有する。望ましくは排水溝２に溝蓋７を脱着可能に取付け、有効面積が広く枯葉等によって排水口や排水管が詰まらない外観の良好な防水パンＰとする。【選択図】  図２
2005009204.tif 000002
【特許請求の範囲】
【請求項１】
四周に側壁を備えた方形の平面形状を有する防水パンであって、その前縁沿いに排水溝を形成し、排水溝の溝底面を排水溝の中央から両端に近づくほど徐々に低くなるように傾斜させると共に、排水溝の両端部の溝底面に排水口をそれぞれ形成したことを特徴とする防水パン。
【請求項２】
排水溝の幅より少し狭い幅を有する溝蓋を脱着可能に取付けたことを特徴とする請求項１に記載の防水パン。
【発明の詳細な説明】
【０００１】
【発明の属する技術分野】
本発明は、バルコニーやテラスなどに敷設される合成樹脂製の防水パンに関する。
【０００２】
【従来の技術】
バルコニーやテラスなどに敷設される合成樹脂製の防水パンとして、四周に側壁を備えた方形の平面形状を有する防水パンであって、その前縁沿いに排水溝を凹設し、該排水溝の一端部の溝底面に排水口を形成した構造のものが知られている例えば特許文献１参照）。
【０００３】
【特許文献１】
特開２０００−８７４４４号公報（第１１図）
【０００４】
【発明が解決しようとする課題】
従来の一般的な防水パンは、排水溝の溝底面に傾斜をつけていないため水の流れが悪く、排水溝に残った雨水の痕跡が溝底面に残って汚く見えるという問題があった。この点、上記特許文献１の防水パンは、溝底面が排水口に近づくほど低くなるように傾斜をつけているため、雨水が流れやすくなり、排水性はある程度改善される。
【０００５】
しかしながら、上記特許文献１の防水パンのように、排水口が排水溝の一端部に一つだけ形成され、溝底面が他端側から一端側の該排水口に近づくほど低くなるように傾斜したものは、防水パンの左右の幅寸法が大きくなるほど、換言すれば排水溝が長くなるほど、雨水の流れが悪くなり、排水性能が低下するという問題があった。しかも、排水口が一つだけ形成された防水パンは、大雨などの場合に防水パンに降り注ぐ雨水量が増えると排水量が不足し、雨水が防水パンから溢れ出す心配もあった。
【０００６】
また、上記の防水パンは、排水溝の占める面積の割合が１／５程度と大きいため、使用可能な有効面積が小さいという問題があり、しかも，排水溝に入った枯葉等のゴミが排水口や排水管に詰まりやすいという問題性もあった。
【０００７】
本発明は上記の問題に対処すべくなされたもので、排水溝の水の流れが良好で優れた排水性能を有する防水パンを提供すること、有効面積が広く枯葉等によって排水口や排水管が詰まらない外観の良好な防水パンを提供すること、を主たる目的としている。
【０００８】
【課題を解決するための手段】
上記目的を達成するため、本発明に係る防水パンは、四周に側壁を備えた方形の平面形状を有する防水パンであって、その前縁沿いに排水溝を形成し、排水溝の溝底面を排水溝の中央から両端に近づくほど徐々に低くなるように傾斜させると共に、排水溝の両端部の溝底面に排水口をそれぞれ形成したことを特徴とするものである。
【０００９】
このような防水パンでは、その表面に降り注ぐ雨水等が排水溝に流れ込むと、排水溝の中央から両端に近づくほど低くなるように傾斜している溝底面により、雨水が二分されて排水溝の両端に向かってスムーズに流れ、両端部の二つの排水口から排水される。従って、この防水パンは、排水溝の両端に向かう水の流れが良好で、二つの排水口によって十分な排水量を確保できるため、優れた排水性能を有する。また、この防水パンは、排水溝の溝底面の傾斜角を、従来の防水パンにおける片流れの排水溝の傾斜角の２倍とすることができるので、防水パンの左右の幅寸法（間口寸法）が大きくて排水溝が長い場合でも、排水溝の溝底面に十分な流れ勾配をつけて、良好な水の流れと排水性能を確保することができる。
【００１０】
本発明の防水パンにおいては、排水溝の幅より少し狭い幅を有する溝蓋を脱着可能に取付けることが好ましい。このように溝蓋を取付けると、汚れやすい排水溝が見えなくなって外観が良くなると共に、溝蓋の上面も使用可能となるので有効面積が増大する。しかも、溝蓋によって落ち葉などのゴミが排水溝に入らないので、排水溝の両端部の排水口や該排水口に接続される排水管が落ち葉等で詰まる心配も解消される。
【００１１】
【発明の実施の形態】
以下、図面を参照して本発明の具体的な実施形態を詳述する。
【００１２】
図１は本発明の一実施形態に係る防水パンの平面図、図２（ａ）（ｂ）（ｃ）はそれぞれ図１のＡ−Ａ線、Ｂ−Ｂ線、Ｃ−Ｃ線に沿った一部拡大断面図、図３は同防水パンの一施工例を示す断面図、図４は図３のＤ−Ｄ線断面図である。
【００１３】
この防水パンＰは、ＳＭＣ（シートモールディングコンパウンド）等の材料をプレス成形してなる長方形の平面形状を備えた合成樹脂製の一体型の防水パンであって、その四周には漏水を防止する側壁１が形成されている。そして、この防水パンＰの前縁沿いには排水溝２が凹設されており、この排水溝２を除いた防水パンＰの表面には、排水溝２に通じる小溝３が格子状に形成されている。この防水パンＰの小溝３で囲まれた表面には、小溝３よりも更に小さな凹条４が小溝３に通じるように格子状に形成されている。
【００１４】
従って、この防水パンＰの表面に降る雨水等は、凹条４から小溝３を通じて排水溝２へすみやかに流れ込むため、防水パンＰ表面の水はけ性能は良好であり、また、歩行の際には足裏が凹条４や小溝３に適度に引っ掛かって良好な滑り止め作用が発揮されるため、足を滑らせて転倒する心配がなく安全である。
【００１５】
この防水パンＰの裏面には、図２（ａ）（ｃ）に示すように、リブ５ａ，５ｂが上記の格子状の小溝４の位置に合わせて格子状に形成されており、また、図２（ｂ）に示すように、排水溝３の裏面にもリブ５ａが形成されている。このようにリブ５ａ，５ｂと小溝４の位置が合致していると、プレス成形によって所謂「ヒケ」（防水パンＰのリブ形成箇所の表面が凹む現象）が発生しても、ヒケの発生箇所が小溝３と一致するので、美観が損なわれて商品価値の低下を招くことはない。
【００１６】
この防水パンＰの左右幅方向に延びるリブ５ｂの高さは、これに直交して防水パンＰの前後方向に延びるリブ５ａの高さより低く形成されており、そのため、防水パンＰの強度を維持したまま、防水パンＰの軽量化とコストダウンが図られている。
【００１７】
この防水パンＰの排水溝２は、その溝底面２ａが排水溝２の中央から両端に近づくほど徐々に低くなるように傾斜して、１／１００〜３／１００程度の両流れの勾配が付けられ、その両端部の溝底面に排水口２ｂ，２ｂがそれぞれ形成されている。
【００１８】
この排水溝２の下側には、図４に示すように、双方の排水口２ｂ，２ｂから排出される雨水等を合流させて排水する排水管路６が配設されている。この排水管路６は、排水溝２の一端の排水口２ｂに直接又は短管等を介して接続されたエルボ継手６ａと、排水溝２の他端の排水口２ｂに直接又は短管等を介して接続されたチーズ継手６ｂと、両端が上記のエルボ継手６ａとチーズ継手６ｂに接続された１／１００〜３／１００程度の流れ勾配を有する排水管６ｃと、上端が上記のチーズ継手６ｂに接続された縦の排水管６ｄによって構成されている。尚、排水管路６はこれに限定されるものではなく、双方の排水口２ｂ，２ｂから雨水等を合流させて排水できる排水管路であれば、どのような構成のものでもよい。また、双方の排水口２ｂ，２ｂに別々に接続された排水管路であってもよい。
【００１９】
図２（ｂ）（ｃ）に示すように、この防水パンＰの排水溝２の上端開口には、排水溝２の幅より少し狭い幅を有する溝蓋７が被せられ、その両端がネジ８で脱着自在に固定されている。このネジ８は、排水溝２の長手方向両端縁に埋設されたインサートナット９にねじ込まれており、ネジ８を緩めて抜けば、溝蓋７を簡単に取り外すことができるようになっている。溝蓋７は、防水パンＰと同様の材質または熱膨張率が小さいアルミニウム等の金属で造られており、裏面には長手方向に延びる２本の補強リブ７ａが形成されている。そして、雨水等が排水溝２に流入しやすいように、溝蓋７の両側端が下方へ丸みをもって折曲されている。
【００２０】
このような溝蓋７を取付けると、汚れやすい排水溝２が見えなくなって美観が向上すると共に、落ち葉などのゴミが排水溝２に入らないため排水口２ｂや排水管路６がゴミ等で詰まる心配がなくなり、防水パンＰの有効使用面積も増大するいった利点がある。また、防水パンＰの表面に降り注いだ雨水等は、溝蓋７の両側の隙間、特に、溝蓋７と前側壁１との隙間から排水溝７に流れ込むので、溝蓋７によって排水性能が低下する恐れも殆どない。
【００２１】
以上のような防水パンＰは、例えば図３，図４に示すように、バルコニーに設けられた支持材１０の上に排水溝２を屋外側にして載置固定されると共に、排水溝２の下方に前述の排水管路６が配設され、更に、水切り部材１１によって防水パンＰの周囲の隙間から雨水等が裏側へ浸透しないように防水される。
【００２２】
このように防水パンＰをバルコニー等に敷設施工すると、その表面に降り注ぐ雨水等は、溝蓋７の両側の隙間から排水溝２に流れ込み、排水溝の中央から両端に近づくほど低くなるように傾斜している溝底面２ａにより、雨水等が二分されて排水溝２の両端に向かってスムーズに流れる。そして、この雨水等は溝底面２の両端部に形成された二つの排水口２ｂ，２ｂから排水管路６へ排出されて管路内で合流し、すみやかに排水される。従って、この防水パンＰは、排水溝２の両端に向かう水の流れが良く、両端部の二つの排水口２ｂ，２ｂによって十分な排水量を確保できるため、優れた排水性能を発揮する。
【００２３】
また、この防水パンＰのように両流れの排水溝２を形成すると、排水溝２の溝底面２ａの傾斜角を、従来の防水パンにおける片流れの排水溝の傾斜角の２倍とすることができるので、防水パンＰの左右の幅寸法（間口寸法）が大きくて排水溝２が長い場合でも、排水溝の溝底面２ａに十分な流れ勾配をつけて、良好な水の流れと排水性能を確保することができる。
【００２４】
【発明の効果】
以上の説明から明らかなように、本発明の防水パンは、排水溝の水の流れが良好で優れた排水性能を有する。そして、溝蓋を取付けたものは、美観が向上することに加えて有効使用面積の増大を図ることができ、また、排水溝への落ち葉等の侵入を防止して排水口や排水管路の詰まりをなくすこともできるいった効果を奏する。
【図面の簡単な説明】
【図１】本発明の一実施形態に係る防水パンの平面図である。
【図２】（ａ）（ｂ）（ｃ）はそれぞれ図１のＡ−Ａ線、Ｂ−Ｂ線、Ｃ−Ｃ線に沿った一部拡大断面図である。
【図３】同防水パンの一施工例を示す断面図である。
【図４】図３のＤ−Ｄ線断面図である。
【符号の説明】
Ｐ  防水パン
１  側壁
２  排水溝
２ａ  溝底面
２ｂ  排水口
６  排水管路
７  溝蓋
【図１】
2005009204.tif 000003
【図２】
2005009204.tif 000004
【図３】
2005009204.tif 000005
【図４】
2005009204.tif 000006